(57)【特許請求の範囲】
【請求項１】
治療器具の温度に関する温度情報を管理する治療器具温度情報管理装置であって、
前記治療器具に設けられ、該治療器具の温度もしくは該治療器具の周囲温度を検出する温度センサ、および記憶部を有する無線タグと、
前記無線タグに対して読取りを行う読取手段と、
前記無線タグに対して非接触で電力を供給するワイヤレス給電装置と、を備え、
前記治療器具は、歯科用インスツルメントであり、
前記ワイヤレス給電装置は、滅菌装置または保管容器に付設されているとともに、前記滅菌装置または前記保管容器に前記治療器具が配置される場合に該治療器具における前記無線タグが電力供給を受けられる範囲内に設置されており、
前記ワイヤレス給電装置は、前記滅菌装置に付設されている場合、前記滅菌装置内に設置された送電用コイルと、前記滅菌装置の外部に設置された給電装置本体と、を有し、
前記無線タグは、前記温度センサの検出値に基づいて、前記温度情報を前記記憶部に記憶させることを特徴とする治療器具温度情報管理装置。
【請求項２】
治療器具の温度に関する温度情報を管理する治療器具温度情報管理装置であって、
前記治療器具に設けられ、該治療器具の温度もしくは該治療器具の周囲温度を検出する温度センサ、および前記温度センサの検出値に基づく前記温度情報を送信する送信部を有する無線タグと、
前記無線タグの外部に設けられた記憶部と、
前記無線タグに対して非接触で電力を供給するワイヤレス給電装置と、を備え、
前記治療器具は、歯科用インスツルメントであり、
前記ワイヤレス給電装置は、滅菌装置または保管容器に付設されているとともに、前記滅菌装置または前記保管容器に前記治療器具が配置される場合に該治療器具における前記無線タグが電力供給を受けられる範囲内に設置されており、
前記ワイヤレス給電装置は、前記滅菌装置に付設されている場合、前記滅菌装置内に設置された送電用コイルと、前記滅菌装置の外部に設置された給電装置本体と、を有し、
前記無線タグは、前記温度センサの検出値に基づいて、前記温度情報を送信して前記記憶部に記憶させることを特徴とする治療器具温度情報管理装置。
【請求項３】
前記無線タグは、前記温度センサの検出値が所定の温度範囲に達した場合に、前記温度情報を前記記憶部に記憶させることを特徴とする請求項１または請求項２に記載の治療器具温度情報管理装置。
【請求項４】
前記所定の温度範囲は、前記治療器具に対する滅菌処理における滅菌温度以上の温度範囲であることを特徴とする請求項３に記載の治療器具温度情報管理装置。
【請求項５】
前記温度情報は、前記治療器具に対して滅菌処理が行われた回数である滅菌回数を示す滅菌情報を含むことを特徴とする請求項４に記載の治療器具温度情報管理装置。
【請求項６】
前記温度情報は、前記治療器具に対して滅菌処理が行われた日時である滅菌日時を示す滅菌情報を含むことを特徴とする請求項４または請求項５に記載の治療器具温度情報管理装置。
【請求項７】
前記所定の温度範囲は、前記治療器具の保管に適していない温度範囲であることを特徴とする請求項３に記載の治療器具温度情報管理装置。
【請求項８】
前記温度センサの検出値が逐次前記記憶部に記憶されることを特徴とする請求項１から請求項７のいずれか一項に記載の治療器具温度情報管理装置。
【請求項９】
前記読取手段の少なくともアンテナが、前記歯科用インスツルメントを保持するための歯科治療装置のハンガーに設けられていることを特徴とする請求項１に記載の治療器具温度情報管理装置。
【請求項１０】
前記読取手段は、通信ネットワークに接続されており、該通信ネットワークに接続されている情報処理装置との間で前記温度情報の通信を行うことを特徴とする請求項１に記載の治療器具温度情報管理装置。
【発明の詳細な説明】
【技術分野】
【０００１】
本発明は、治療器具の温度に関する温度情報を管理する治療器具温度情報管理装置に関する。
【背景技術】
【０００２】
歯科治療に用いられる治療器具であるエアタービンハンドピースやマイクロモータハンドピース等の歯科用インスツルメントは、患者の口腔内の歯等の患部の治療、処置等を行った後、再使用に備えて滅菌処理が行われる。
【０００３】
歯科用インスツルメントの滅菌処理に関して、特許文献１には、「滅菌器３１０の近傍には、リーダライタ３１１が設けられ、ハンドピース１１１が備える無線タグＴから、記録されている情報を読み取る。……管理手段１８０は、リーダライタ３１１でハンドピース１１１の識別情報を読み取った回数を当該ハンドピース１１１の滅菌回数としてハンドピース１１１の識別情報毎に管理情報記憶手段１９０に記録する。」と記載されている（段落［００６３］−［００６４］参照）。
【先行技術文献】
【特許文献】
【０００４】
【特許文献１】特開２０１５−１４２６９０号公報
【発明の概要】
【発明が解決しようとする課題】
【０００５】
しかしながら、特許文献１に記載の技術は、歯科用インスツルメント等の治療器具を加熱して滅菌する滅菌処理が実際に行われたことを認識するものではない。すなわち、特許文献１に記載の技術では、ハンドピース（治療器具）を滅菌器の近傍のリーダライタに近付けることで、治療器具が備える無線タグから識別情報を読み取ることによって、滅菌処理が行われたと認識される。
【０００６】
したがって、特許文献１に記載の技術では、実際には滅菌処理が行われていなくても、治療器具を滅菌器の近傍に近付けるだけで滅菌処理が行われたと誤認識されるおそれがある。このように、加熱を伴う滅菌処理に関係して、治療器具の温度管理について改善の余地があった。
【０００７】
本発明は、前記した事情に鑑みてなされたものであり、治療器具の温度に関する温度情報の管理を確実に行うことができる治療器具温度情報管理装置を提供することを課題とする。
【課題を解決するための手段】
【０００８】
前記課題を解決するため、本発明は、治療器具の温度に関する温度情報を管理する治療器具温度情報管理装置であって、前記治療器具に設けられ、該治療器具の温度もしくは該治療器具の周囲温度を検出する温度センサ、および記憶部を有する無線タグと、前記無線タグに対して読取りを行う読取手段と、前記無線タグに対して非接触で電力を供給するワイヤレス給電装置と、を備え、前記治療器具は、歯科用インスツルメントであり、前記ワイヤレス給電装置は、滅菌装置または保管容器に付設されているとともに、前記滅菌装置または前記保管容器に前記治療器具が配置される場合に該治療器具における前記無線タグが電力供給を受けられる範囲内に設置されており、前記ワイヤレス給電装置は、前記滅菌装置に付設されている場合、前記滅菌装置内に設置された送電用コイルと、前記滅菌装置の外部に設置された給電装置本体と、を有し、前記無線タグは、前記温度センサの検出値に基づいて、前記温度情報を前記記憶部に記憶させることを特徴とする。
【０００９】
このような構成では、治療器具としての歯科用インスツルメントに設けられた無線タグの温度センサの検出値に基づいて、歯科用インスツルメントの温度に関する温度情報が無線タグの記憶部に記憶される。これにより、例えば加熱して滅菌する滅菌処理が実際には行われていない歯科用インスツルメントの無線タグの記憶部に、滅菌処理が行われたことを示す情報を誤って記憶させることを防止できる。
したがって、個々の歯科用インスツルメントの温度に関する温度情報の管理を確実に行うことができる。
また、無線タグは、ワイヤレス給電装置からの電力供給によって、温度センサの検出値を得ることができる。したがって、無線タグを簡易かつコンパクトな構成にすることができる。また、無線タグは、ワイヤレス給電装置から電力供給を受けられる範囲内で、歯科用インスツルメントの温度に関する温度情報を記憶部に記憶させることが可能となる。
【００１０】
また、本発明は、治療器具の温度に関する温度情報を管理する治療器具温度情報管理装置であって、前記治療器具に設けられ、該治療器具の温度もしくは該治療器具の周囲温度を検出する温度センサ、および前記温度センサの検出値に基づく前記温度情報を送信する送信部を有する無線タグと、前記無線タグの外部に設けられた記憶部と、前記無線タグに対して非接触で電力を供給するワイヤレス給電装置と、を備え、前記治療器具は、歯科用インスツルメントであり、前記ワイヤレス給電装置は、滅菌装置または保管容器に付設されているとともに、前記滅菌装置または前記保管容器に前記治療器具が配置される場合に該治療器具における前記無線タグが電力供給を受けられる範囲内に設置されており、前記ワイヤレス給電装置は、前記滅菌装置に付設されている場合、前記滅菌装置内に設置された送電用コイルと、前記滅菌装置の外部に設置された給電装置本体と、を有し、前記無線タグは、前記温度センサの検出値に基づいて、前記温度情報を送信して前記記憶部に記憶させることを特徴とする。
【００１１】
このような構成では、治療器具としての歯科用インスツルメントに設けられた無線タグの温度センサの検出値に基づいて、歯科用インスツルメントの温度に関する温度情報が無線タグの外部に設けられた記憶部に記憶される。これにより、例えば加熱して滅菌する滅菌処理が実際には行われていない歯科用インスツルメントに対して滅菌処理が行われたことを示す情報を、外部の記憶部に誤って記憶させることを防止できる。
したがって、個々の歯科用インスツルメントの温度に関する温度情報の管理を確実に行うことができる。
また、無線タグは、ワイヤレス給電装置からの電力供給によって、温度センサの検出値を得ることができる。したがって、無線タグを簡易かつコンパクトな構成にすることができる。また、無線タグは、ワイヤレス給電装置から電力供給を受けられる範囲内で、歯科用インスツルメントの温度に関する温度情報を記憶部に記憶させることが可能となる。
【００１２】
前記治療器具温度情報管理装置において、前記無線タグは、前記温度センサの検出値が所定の温度範囲に達した場合に、前記温度情報を前記記憶部に記憶させることが好ましい。
【００１３】
このような構成では、温度センサの検出値が所定の温度範囲に達した場合に、治療器具に設けられた無線タグの記憶部に、必要な温度情報を記憶させることができる。これにより、所定の温度範囲に達していないときに温度情報を誤って記憶部に記憶させることを防止することができる。
【００１４】
前記治療器具温度情報管理装置において、前記所定の温度範囲は、前記治療器具に対する滅菌処理における滅菌温度以上の温度範囲であることが好ましい。
【００１５】
このような構成では、治療器具に対して加熱して滅菌する滅菌処理が行われたときに、該治療器具に設けられた無線タグの記憶部に、必要な温度情報を記憶させることができる。これにより、滅菌処理が実際には行われていない治療器具の無線タグの記憶部に、滅菌処理が行われたことを示す情報を誤って記憶させることを防止できる。したがって、必要な滅菌処理が施されていない治療器具が誤って使用されてしまうことを防止することが可能となる。
しかも、温度センサによって滅菌温度以上の温度範囲に達したことが検出されることによって自動的に、滅菌処理が行われたことを示す情報が無線タグの記憶部に記憶される。したがって、歯科医院のドクター等のユーザは、従来のように滅菌処理の前後に治療器具をリーダライタに近付けて無線タグに対する読取りを行わせる動作をわざわざ行う必要がなくなる。また、無線タグの記憶部への必要な温度情報の記憶漏れを防止することができる。
【００１６】
前記治療器具温度情報管理装置において、前記温度情報は、前記治療器具に対して滅菌処理が行われた回数である滅菌回数を示す滅菌情報を含むことが好ましい。
【００１７】
このような構成では、治療器具の滅菌回数が随時把握可能となる。したがって、個々の治療器具の滅菌回数の更新具合をチェックできる。また、個々の治療器具に対するメンテナンスの管理を行うことが可能となる。
【００１８】
前記治療器具温度情報管理装置において、前記温度情報は、前記治療器具に対して滅菌処理が行われた日時である滅菌日時を示す滅菌情報を含むことが好ましい。
【００１９】
このような構成では、治療器具の滅菌日時が随時把握可能となる。したがって、個々の治療器具の最新の滅菌日時をチェックできる。また、個々の治療器具に対するメンテナンスの管理を行うことが可能となる。
【００２０】
前記治療器具温度情報管理装置において、前記所定の温度範囲は、前記治療器具の保管に適していない温度範囲であることが好ましい。
【００２１】
このような構成では、治療器具の出荷後の輸送中や保管場所の周囲環境等が保管に適していない高温または低温の温度範囲である場合、無線タグの記憶部に、治療器具の保管に適していない温度であることを示す情報を記憶させることができる。また、治療器具の例えばモータ等の部品が異常発熱した場合も同様に、無線タグの記憶部に温度情報が記憶される。したがって、治療器具の性能低下時や定期的なメンテナンス時に、例えばメーカーサイドは、無線タグの記憶部に記憶されている温度情報を読み出すことによって不具合の原因究明に活用できる。これにより、治療器具の修理やメンテナンスをスムーズに実施することが可能となる。
【００２２】
前記治療器具温度情報管理装置において、前記温度センサの検出値が逐次前記記憶部に記憶されることが好ましい。
【００２３】
このような構成では、個々の治療器具について、時間経過に沿った温度履歴を管理することが可能となる。
【００３０】
前記治療器具温度情報管理装置において、前記読取手段の少なくともアンテナが、前記歯科用インスツルメントを保持するための歯科治療装置のハンガーに設けられていることが好ましい。
【００３１】
このような構成では、治療器具としての歯科用インスツルメントは、歯科治療に使用される際に歯科治療装置のハンガーに保持される。このため、少なくともアンテナがハンガーに設けられている読取手段が、歯科用インスツルメントに設けられた無線タグを読み取ることができる。これにより、歯科医院のドクター等のユーザは、歯科用インスツルメントの温度に関する温度情報を把握することが可能となる。したがって、例えば必要な滅菌処理が施されていない歯科用インスツルメントが誤って使用されてしまうことをより防止することができる。
【００３２】
前記治療器具温度情報管理装置において、前記読取手段は、通信ネットワークに接続されており、該通信ネットワークに接続されている情報処理装置との間で前記温度情報の通信を行うことが好ましい。
【００３３】
このような構成では、通信ネットワーク上の情報処理装置において、治療器具の温度に関する温度情報を把握することができる。また、治療器具の温度に関する温度情報を情報処理装置に保存することもできる。したがって、治療器具に関して、メンテナンス、故障、アドバイス等に関する種々の情報を情報処理装置から得ることができる。
【発明の効果】
【００３４】
本発明によれば、治療器具の温度に関する温度情報の管理を確実に行うことができる治療器具温度情報管理装置を提供できる。
【図面の簡単な説明】
【００３５】
【図１】本発明の一実施形態に係る治療器具温度情報管理装置が適用された歯科診療システムを模式的に示すブロック図である。
【図２】無線タグの構成を模式的に示す図である。
【図３】インスツルメントの温度に関する温度情報を管理する処理の概略の手順を示すフローチャートである。
【発明を実施するための形態】
【００３６】
本発明の実施形態について、適宜図面を参照しながら詳細に説明する。
なお、各図において、共通する構成要素や同様な構成要素については、同一の符号を付し、それらの重複する説明を適宜省略する。
【００３７】
図１は、本発明の一実施形態に係る治療器具温度情報管理装置５０が適用された歯科診療システム１００を模式的に示すブロック図である。
【００３８】
図１に示すように、歯科診療システム１００は、歯科医院内の診療室に設置された少なくとも１つの歯科治療装置１０１を備えている。また、歯科診療システム１００は、治療器具としての歯科用インスツルメント（以下、単に「インスツルメント」ともいう）１１０に対して加熱して滅菌する滅菌処理を行う滅菌装置１２０を備えている。
【００３９】
歯科治療装置１０１は、患者に歯科治療を施すための装置であって、ユニット本体１１１、ユニット本体１１１に設けられたハンガー１１２、ユニット本体１１１上のテーブル（図示せず）、患者用椅子（図示せず）等を主に備えている。
歯科治療装置１０１のハンガー１１２は、複数のインスツルメント１１０を個別に保持する複数のホルダ１１３（図１では一つのみ示す）を有している。
【００４０】
インスツルメント１１０として、例えば、エアタービンハンドピース、マイクロモータハンドピース等が使用される。エアタービンハンドピースは、注水されながら圧縮空気の力によって切削工具を高速回転させて歯を研削するものである。また、マイクロモータハンドピースは、注水されながら電気モータの力によって切削工具を高速回転させて歯を研削するものである。ただし、エアモータによって駆動されるエアマチックハンドピースや、スケーラー等の他の種別のインスツルメントが使用されてもよい。
【００４１】
滅菌装置１２０として、例えば高温高圧蒸気によるオートクレーブなど従来公知の滅菌器を用いることができる。滅菌装置１２０は、診療室又は他の部屋に設置されている。
【００４２】
本実施形態の治療器具温度情報管理装置５０は、インスツルメント１１０の温度に関する温度情報を管理する装置である。治療器具温度情報管理装置５０は、インスツルメント１１０に設けられた無線タグ１０と、無線タグ１０との間で通信を行うリーダライタ２０と、を備えている。リーダライタ２０は、無線タグ１０に対して、読取りを行う読取手段としての機能と、書込みを行う書込手段としての機能とを有している。
【００４３】
無線タグ１０は、インスツルメント１１０の例えば基端側（ホースとのジョイント部側）の外表面に設けられている。この無線タグ１０の記憶部１１ｂ（図２参照）には、少なくともインスツルメント１１０の識別情報が予め書き込まれている。インスツルメント１１０の識別情報には、該インスツルメント１１０の種別（例えばエアタービンハンドピースであることを示す情報）が含まれる。
【００４４】
図２は、無線タグ１０の構成を模式的に示す図である。
無線タグ１０は、無線通信を利用した非接触型の電子タグである。無線タグ１０としては、例えばＲＦＩＤタグが使用され得る。
【００４５】
図２に示すように、無線タグ１０は、ＩＣチップ１１と、ＩＣチップ１１に接続されたアンテナ１２とを備えている。ＩＣチップ１１は、無線タグ１０全体の制御を行う制御部１１ａと、各種の情報を記憶する記憶部１１ｂとを有している。制御部１１ａは、ここでは、ＣＰＵから構成されている。ただし、制御部１１ａは、ハードウエアで構成される制御回路であってもよい。アンテナ１２は、コイルから構成されている。
【００４６】
また、無線タグ１０は、温度センサ１３と、電池１４とを備えている。温度センサ１３は、インスツルメント１１０の温度もしくはインスツルメント１１０の周囲温度を検出する。温度センサ１３は、滅菌装置１２０による滅菌処理における滅菌温度以上の温度（例えば１５０℃）を検出することが可能となっている。無線タグ１０は、全体として例えば１５０〜２００℃程度の耐熱性を有するように構成されている。ここで、電池１４は、耐熱性の高い封止構造を有している。
【００４７】
図１に示すように、リーダライタ２０は、制御部（図示せず）を有するリーダライタ本体２１と、リーダライタ本体２１に接続されたアンテナ２２とを備えている。
【００４８】
リーダライタ２０は、インスツルメント１１０を保持するための歯科治療装置１０１のハンガー１１２に設けられている。ここでは、複数のインスツルメント１１０にそれぞれ設けられた複数の無線タグ１０に対応可能な一つのリーダライタ２０がハンガー１１２に設けられている。この場合、リーダライタ２０と無線タグ１０との通信距離は、比較的長い適切な距離とされることが望ましい。ただし、複数のホルダ１１３の各々にリーダライタ２０がそれぞれ設けられていてもよい。この場合、リーダライタ２０と無線タグ１０との通信距離は、比較的短い適切な距離とされることが望ましい。
【００４９】
なお、リーダライタ２０において、アンテナ２２が、ハンガー１１２またはホルダ１１３に設けられていて、リーダライタ本体２１が、ユニット本体１１１、ユニット本体１１１上のテーブル等、ハンガー１１２とは異なる場所に設けられていてもよい。
【００５０】
また、図１の例では、別のリーダライタ２０が、インスツルメント１１０の保管容器１３０に付設されている。ここでは、リーダライタ２０は、保管容器１３０内に設置されているが、保管容器１３０の外部に隣設されていてもよい。あるいは、リーダライタ２０において、アンテナ２２が、保管容器１３０内に設置されていて、リーダライタ本体２１が、保管容器１３０の外部に隣設されていてもよい。
【００５１】
なお、リーダライタ２０の設置場所は、特に限定されるものではない。リーダライタ２０は、例えば、診療室におけるドクター等のユーザの机上に設置されていてもよく、滅菌装置１２０に付設されていてもよい。
【００５２】
無線タグ１０がリーダライタ２０から出る電磁波を受信すると、電磁誘導の作用によって無線タグ１０に電流が流れる。これにより、無線タグ１０は、リーダライタ２０と無線通信を行い、インスツルメント１１０に関する各種情報の読取りおよび／または書込み（以下、「リードライト）ともいう）を行うことが可能となっている。
【００５３】
例えば、リーダライタ２０は、無線タグ１０に対して、インスツルメント１１０の使用履歴等の使用情報、インスツルメント１１０への注油履歴等の注油情報などの各種情報のリードライトを行うことができる。
また、本実施形態では、リーダライタ２０は、無線タグ１０に対して、インスツルメント１１０の温度に関する温度情報の読取りを行うことができる。
【００５４】
無線タグ１０は、温度センサ１３の検出値が、所定の温度範囲に達した場合に、インスツルメント１１０の温度に関する温度情報を記憶部１１ｂに記憶させるように構成されている。
【００５５】
前記所定の温度範囲の一つとして、インスツルメント１１０に対する滅菌処理における滅菌温度（例えば１３４℃）以上の温度範囲が挙げられる。この場合、記憶部１１ｂに記憶させる温度情報は、インスツルメント１１０の滅菌処理が行われたことを示す情報である。具体的には、温度情報は、インスツルメント１１０に対して滅菌処理が行われた回数である滅菌回数を示す滅菌情報を含む。また、温度情報は、インスツルメント１１０に対して滅菌処理が行われた日時である滅菌日時を示す滅菌情報を含むことが好ましい。さらに、温度情報は、インスツルメント１１０に対して滅菌処理が行われた時間である滅菌時間を示す滅菌情報を含むことが好ましい。
【００５６】
また、前記所定の温度範囲の一つとして、インスツルメント１１０の保管に適していない低温および高温を示す温度範囲が挙げられる。この場合、記憶部１１ｂに記憶させる温度情報には、例えば保管に適していない温度範囲における、温度センサ１３の検出値、検出日時、継続時間等の保管情報が含まれる。
【００５７】
本実施形態では、前記所定の温度範囲として、インスツルメント１１０に対する滅菌処理における滅菌温度以上の温度範囲と、インスツルメント１１０の保管に適していない低温および高温を示す温度範囲との両方が設定されている。
【００５８】
図１に示すように、リーダライタ２０は、通信ネットワークＮＷに接続されている。通信ネットワークＮＷは、有線ＬＡＮ等の有線通信ネットワーク、無線ＬＡＮやBluetooth（登録商標）等の無線通信ネットワーク、インターネットなどである。
【００５９】
通信ネットワークＮＷには、前記した歯科治療装置１０１と、歯科医院内の診療室に設置された情報処理装置１０２とが接続されている。また、通信ネットワークＮＷには、インスツルメント１１０の修理やメンテナンスを受け付けるコールセンターに設置された情報処理装置１０３と、インスツルメント１１０を製造したメーカーに設置された情報処理装置１０４とが接続されている。これらの情報処理装置１０２〜１０４は、例えば一般的なパーソナルコンピュータ（ＰＣ）のほか、タブレット型ＰＣ等の携帯型の端末機器等であってもよい。さらに、通信ネットワークＮＷには、クラウドサーバ１０５が接続されている。
【００６０】
リーダライタ２０は、通信ネットワークＮＷに接続されている歯科治療装置１０１、情報処理装置１０２〜１０４、およびクラウドサーバ１０５との間で、注油情報等の各種情報の通信を行うことが可能となっている。
【００６１】
以上のように構成された歯科診療システム１００における治療器具温度情報管理装置５０の動作について、図３を参照しながら説明する。
図３は、インスツルメント１１０の温度に関する温度情報を管理する処理の概略の手順を示すフローチャートである。
【００６２】
図３に示すように、ステップＳ１では、インスツルメント１１０の温度が所定の温度範囲に達したか否かが判断される。すなわち、無線タグ１０は、温度センサ１３の検出値が、所定の温度範囲に達したか否かを判断する。
【００６３】
ステップＳ１においてインスツルメント１１０の温度が所定の温度範囲に達していないと判断された場合（ステップＳ１でＮｏ）、そのままの状態で待機する。一方、ステップＳ１においてインスツルメント１１０の温度が所定の温度範囲に達したと判断された場合（ステップＳ１でＹｅｓ）、処理がステップＳ２に進む。
【００６４】
ステップＳ２では、無線タグ１０は、インスツルメント１１０の温度に関する温度情報を記憶部１１ｂに記憶させる。
【００６５】
具体的には、本実施形態では、まず、温度センサ１３の検出値がインスツルメント１１０に対する滅菌処理における滅菌温度以上になった場合、無線タグ１０は、温度情報として、前記した滅菌情報を記憶部１１ｂに記憶させる。
【００６６】
また、本実施形態では、温度センサ１３の検出値がインスツルメント１１０の保管に適していない低温および高温を示す温度範囲に達した場合、無線タグ１０は、温度情報として、前記した保管情報を記憶部１１ｂに記憶させる。
【００６７】
無線タグ１０の記憶部１１ｂに記憶された温度情報等の各種情報は、例えば該無線タグ１０が設けられたインスツルメント１１０が歯科治療装置１０１のハンガー１１２に保持されることで、ハンガー１１２に設けられたリーダライタ２０によって読み取られる。ここで、温度情報は、個々のインスツルメント１１０に対応した滅菌情報や保管情報であり、インスツルメント１１０の識別情報を含むものである。リーダライタ２０によって読み取られた情報は、通信ネットワークＮＷを介して、歯科治療装置１０１、情報処理装置１０２〜１０４、およびクラウドサーバ１０５に伝送され、各装置の表示部に表示されたり、各装置の記憶部に保存されたりする。
【００６８】
したがって、歯科医院のドクター等のユーザは、インスツルメント１１０の温度に関する温度情報を、歯科治療装置１０１や情報処理装置１０２の表示部に表示させて、確認することができる。また、インスツルメント１１０の温度に関する温度情報は、コールセンターに設置された情報処理装置１０３や、メーカーに設置された情報処理装置１０４にも表示されて、確認され得る。
【００６９】
例えば、メーカーサイドは、歯科医院におけるインスツルメント１１０の温度に関して、情報処理装置１０４において状況を確認したり、情報処理装置１０４から歯科医院に設置された情報処理装置１０２にアナウンスを表示させたりすることができる。ここで、アナウンスとは、例えばメンテナンスや修理に関する情報や、適切な滅菌処理の仕方、部品交換に関する情報といったお知らせや、「営業マンに連絡してください。」といった告知が挙げられる。さらに、歯科医院でのインスツルメント１１０の温度情報を事前に把握し、故障する前に、メーカー等のサービスマンが歯科医院を訪問し、部品の調整や交換を行うことができる。その際に、事前に取得した情報によって、訪問前にサービスマンが必要な交換機材等を用意することができる。
【００７０】
コールセンターは、インスツルメント１１０に不具合が生じたときに、歯科医院のドクター等のユーザからの電話を受け付けることができる。また、歯科医院のドクター等のユーザは、診療室に設置された情報処理装置１０２から、通信ネットワークＮＷ上に設けられたコールセンターの情報処理装置１０３にクレーム等の情報を送ることができる。そして、コールセンターの情報処理装置１０３が、歯科医院の歯科治療装置１０１や情報処理装置１０２から、通信ネットワークＮＷを介して情報を得ることによって、コールセンターは、不具合に対して適切な対応を取ることができる。
【００７１】
また、インスツルメント１１０の温度情報を通信ネットワークＮＷ上にあるクラウドサーバ１０５に記憶して管理してもよい。このようにして、インスツルメント１１０の温度情報を各所において常に管理することが可能となる。
【００７２】
前記したように、本実施形態の治療器具温度情報管理装置５０は、インスツルメント１１０に設けられた無線タグ１０と、無線タグ１０に対して読取りを行う読取手段としてのリーダライタ２０とを備えている。無線タグ１０は、温度センサ１３と、記憶部１１ｂを有するＩＣチップ１１とを備えている。そして、無線タグ１０は、温度センサ１３の検出値に基づいて、インスツルメント１１０の温度に関する温度情報を記憶部１１ｂに記憶させる。
【００７３】
このような本実施形態では、インスツルメント１１０に設けられた無線タグ１０の温度センサ１３の検出値に基づいて、インスツルメント１１０の温度に関する温度情報が無線タグ１０の記憶部に記憶される。これにより、例えば加熱して滅菌する滅菌処理が実際には行われていないインスツルメント１１０の無線タグ１０の記憶部１１ｂに、滅菌処理が行われたことを示す情報を誤って記憶させることを防止することができる。
したがって、個々のインスツルメント１１０の温度に関する温度情報の管理を確実に行うことができる。
【００７４】
また、本実施形態によれば、温度センサ１３の検出値が所定の温度範囲に達した場合に、インスツルメント１１０に設けられた無線タグ１０の記憶部１１ｂに、必要な温度情報を記憶させることができる。これにより、所定の温度範囲に達していないときに温度情報を誤って記憶部１１ｂに記憶させることを防止することができる。
【００７５】
また、本実施形態によれば、インスツルメント１１０に対して加熱して滅菌する滅菌処理が行われたときに、該インスツルメント１１０に設けられた無線タグ１０の記憶部１１ｂに、必要な温度情報を記憶させることができる。これにより、滅菌処理が実際には行われていないインスツルメント１１０の無線タグ１０の記憶部１１ｂに、滅菌処理が行われたことを示す情報を誤って記憶させることを防止できる。したがって、必要な滅菌処理が施されていないインスツルメント１１０が誤って使用されてしまうことを防止することが可能となる。
しかも、温度センサ１３によって滅菌温度以上の温度範囲に達したことが検出されることによって自動的に、滅菌処理が行われたことを示す情報が無線タグ１０の記憶部１１ｂに記憶される。したがって、歯科医院のドクター等のユーザは、従来のように滅菌処理の前後にインスツルメント１１０をリーダライタに近付けて無線タグに対する読取りを行わせる動作をわざわざ行う必要がなくなる。また、無線タグ１０の記憶部１１ｂへの必要な温度情報の記憶漏れを防止することができる。
【００７６】
また、本実施形態によれば、温度情報は、インスツルメント１１０に対して滅菌処理が行われた回数である滅菌回数を示す滅菌情報を含むため、インスツルメント１１０の滅菌回数が随時把握可能となる。したがって、個々のインスツルメント１１０の滅菌回数の更新具合をチェックできる。また、個々のインスツルメント１１０に対するメンテナンスの管理を行うことが可能となる。
【００７７】
また、本実施形態によれば、温度情報は、インスツルメント１１０に対して滅菌処理が行われた日時である滅菌日時を示す滅菌情報を含むため、インスツルメント１１０の滅菌日時が随時把握可能となる。したがって、個々のインスツルメント１１０の最新の滅菌日時をチェックできる。また、個々のインスツルメント１１０に対するメンテナンスの管理を行うことが可能となる。
【００７８】
また、本実施形態によれば、インスツルメント１１０の出荷後の輸送中や保管場所の周囲環境等が保管に適していない高温または低温の温度範囲である場合、無線タグ１０の記憶部１１ｂに、インスツルメント１１０の保管に適していない温度であることを示す情報を記憶させることができる。また、インスツルメント１１０の例えばモータ等の部品が異常発熱した場合も同様に、無線タグ１０の記憶部１１ｂに温度情報が記憶される。したがって、インスツルメント１１０の性能低下時や定期的なメンテナンス時に、例えばメーカーサイドは、無線タグ１０の記憶部１１ｂに記憶さている温度情報を読み出すことによって不具合の原因究明に活用できる。これにより、インスツルメント１１０の修理やメンテナンスをスムーズに実施することが可能となる。
【００７９】
また、本実施形態によれば、無線タグ１０が電池１４を内蔵しているため、無線タグ１０は、電池１４からの電力供給によって、温度センサ１３の検出値を随時得ることができる。したがって、無線タグ１０は、インスツルメント１１０がどこに置かれていても、該インスツルメント１１０の温度に関する温度情報を記憶部１１ｂに記憶させることが可能となる。
【００８０】
また、本実施形態によれば、インスツルメント１１０は、歯科治療に使用される際に歯科治療装置１０１のハンガー１１２に保持される。このため、少なくともアンテナ２２がハンガー１１２に設けられている読取手段としてのリーダライタ２０が、インスツルメント１１０に設けられた無線タグ１０を読み取ることができる。これにより、歯科医院のドクター等のユーザは、インスツルメント１１０の温度に関する温度情報を把握することが可能となる。したがって、例えば必要な滅菌処理が施されていないインスツルメント１１０が誤って使用されてしまうことをより防止することができる。
【００８１】
また、本実施形態によれば、通信ネットワークＮＷ上の情報処理装置１０３，１０４、クラウドサーバ１０５において、インスツルメント１１０の温度に関する温度情報を把握することができる。さらに、インスツルメント１１０の温度に関する温度情報を情報処理装置１０３，１０４、クラウドサーバ１０５に保存することもできる。したがって、インスツルメント１１０に関して、メンテナンス、故障、アドバイス等に関する種々の情報を情報処理装置１０３，１０４、クラウドサーバ１０５から得ることができる。
【００８２】
以上、本発明について、実施形態に基づいて説明したが、本発明は、前記実施形態に記載した構成に限定されるものではなく、前記実施形態に記載した構成を適宜組み合わせ乃至選択することを含め、その趣旨を逸脱しない範囲において適宜その構成を変更することができるものである。また、前記実施形態の構成の一部について、追加、削除、置換をすることができる。
【００８３】
例えば、前記実施形態では、無線タグ１０の記憶部１１ｂに記憶された温度情報等の各種情報は、リーダライタ２０によって読み取られる。ただし、インスツルメント１１０の温度に関する温度情報をチェックするためのみに使用される場合には、リーダライタ２０の代わりに読取り専用のリーダ（読取手段）が使用されてもよい。
【００８４】
また、前記実施形態では、温度センサ１３の検出値が所定の温度範囲に達した場合に、無線タグ１０の記憶部１１ｂに、必要な温度情報を記憶される。ただし、温度センサ１３の検出値が逐次記憶部１１ｂに記憶されるように構成されてもよい。このような構成では、個々のインスツルメント１１０について、時間経過に沿った温度履歴を管理することが可能となる。
【００８５】
また、前記実施形態では、無線タグ１０は、内蔵する電池１４から電力が供給される。ただし、無線タグ１０に対して非接触で電力を供給するワイヤレス給電装置を備えるように構成されてもよい。ワイヤレス給電装置は、滅菌装置１２０や、保管容器１３０等に付設されるように構成される。ワイヤレス給電装置を滅菌装置１２０に付設する場合、送電用コイルが滅菌装置１２０内に設置され、給電装置本体が滅菌装置１２０の外部に隣設されることが望ましい。これは、滅菌装置１２０内に入れた状態のインスツルメント１１０に設けられた無線タグ１０に確実に給電するためである。
このような構成では、無線タグ１０は、ワイヤレス給電装置からの電力供給によって、温度センサ１３の検出値を得ることができる。したがって、無線タグ１０を簡易かつコンパクトな構成にすることができる。また、無線タグ１０は、ワイヤレス給電装置から電力供給を受けられる範囲内で、インスツルメント１１０の温度に関する温度情報を記憶部１１ｂに記憶させることが可能となる。
【００８６】
また、治療器具温度情報管理装置は、インスツルメント１１０に設けられ、該インスツルメント１１０の温度もしくは該インスツルメント１１０の周囲温度を検出する温度センサ１３、および温度センサ１３の検出値に基づく温度情報を送信するアンテナ等の送信部）を有する無線タグと、無線タグの外部に設けられた記憶部と、を備えるように構成されてもよい。この場合、無線タグは、温度センサ１３の検出値に基づいて、温度情報を送信して外部の記憶部に記憶させる。つまり、温度センサ１３から取得した情報を、無線タグから無線で送信して、例えばクラウドサーバ１０５の記憶部等に記憶させるように構成してもよい。このような構成では、例えば加熱して滅菌する滅菌処理が実際には行われていないインスツルメント１１０に対して滅菌処理が行われたことを示す情報を、外部の記憶部に誤って記憶させることを防止できる。
【００８７】
また、前記実施形態では、治療器具温度情報管理装置５０は、歯科用インスツルメント１１０の温度に関する温度情報を管理するように構成されているが、本発明はこれに限定されるものではない。治療器具温度情報管理装置５０は、例えば、医療用手術器具等の各種の治療器具の温度に関する温度情報を管理するように構成されてもよい。
【符号の説明】
【００８８】
１０    無線タグ
１１    ＩＣチップ
１１ａ  制御部
１１ｂ  記憶部
１２    アンテナ
１３    温度センサ
１４    電池
２０    リーダライタ（読取手段）
２１    リーダライタ本体
２２    アンテナ
５０    治療器具温度情報管理装置
１００  歯科診療システム
１０１  歯科治療装置
１０２〜１０４  情報処理装置
１０５  クラウドサーバ
１１０  歯科用インスツルメント（治療器具）
１１１  ユニット本体
１１２  ハンガー
１１３  ホルダ
１２０  滅菌装置
１３０  保管容器
ＮＷ    通信ネットワーク
【図１】
0006643182.tif 000002
【図２】
0006643182.tif 000003
【図３】
0006643182.tif 000004